(57)【特許請求の範囲】
【請求項１】
垂直なスライドガイドに沿って上下動可能なスライダと、該スライダ上に設置された複数個のヘッドと、該ヘッドに回転可能に支持されて被加工物を孔あけ加工するカッターを有するスピンドルと、前記スライダの下部で前記スピンドルを覆うように設けられ、前記カッターが通過可能な孔を備え、前記被加工物の孔あけ加工時に前記被加工物を固定し、発生する木屑を集塵する上部集塵ケースと、被加工物を加工位置に搬送して固持するコンベヤ機構と、加工時に被加工物を該コンベヤ機構と一緒に支持すると共に孔あけ加工によって生じた木屑を集める集塵ケース兼加工ステージと、該集塵ケース兼加工ステージおよび前記上部集塵ケースに接続された集塵ダクトとを有することを特徴とする遊技盤の孔あけ加工装置。
【請求項２】
前記コンベヤ機構は、前記集塵ケース兼加工ステージの両側に設けられ、シリンダによって上下動されることを特徴とする請求項１記載の遊技盤の孔あけ加工装置。
【請求項３】
前記集塵ケース兼加工ステージは、加工時の被加工物を上部部分にて支持して加工位置に固持すると共に、加工時に生じた木屑を集塵して集塵ダクトを介して排出することを特徴とする前記請求項１記載の遊技盤の孔あけ加工装置。
【請求項４】
前記カッターがドリルであることを特徴とする請求項１記載の遊技盤の孔あけ加工装置。
【請求項５】
前記カッターがルータビットであることを特徴とする請求項１記載の遊技盤の孔あけ加工装置。
【請求項６】
被加工物を垂直状態で搬送して支持するコンベヤ機構と、コンベヤ機構の左右に垂直状態に配置されて間に被加工物を挟持する一対の支持フレームと、支持フレームの上に設置されて孔あけ加工をするカッターを支持する回転可能なスピンドルを有する複数個のヘッドと、支持フレームに接続されて孔あけ加工によって生じた木屑を集塵する集塵ダクトとを有することを特徴とする遊技盤の孔あけ加工装置。
【請求項７】
前記支持フレームは中空構造をなし、被加工物に当接する側にカッターのための孔が設けられており、加工時に木屑を集塵するようになっていることを特徴とする請求項６記載の遊技盤の孔あけ加工装置。
【請求項８】
前記コンベヤ機構は、一対のプーリに掛けられた無端状のベルトを有し、被加工物を加工位置にて保持することを特徴とする請求項６記載の遊技盤の孔あけ加工装置。
【請求項９】
前記カッターがドリルであることを特徴とする請求項６記載の遊技盤の孔あけ加工装置。
【請求項１０】
前記カッターがルータビットであることを特徴とする請求項６記載の遊技盤の孔あけ加工装置。
【発明の詳細な説明】
【０００１】
【発明の属する技術分野】
本発明は、パチンコ遊技機やパロット遊技機、スロットマシン等の各種遊技機における遊技盤の孔あけ加工装置に関するものである。
【０００２】
【従来の技術】
従来から、孔あけ加工装置としては、主軸が垂直になっている立形のボール盤として直立ボール盤が一般的に知られており、コラム、主軸ヘッド、ベースおよびテーブル等から構成されている。また、多数の主軸を有し、同時に多くの孔あけができる多軸ボール盤がある。
【０００３】
さらにまた、遊技盤には、遊技球が入る多数の入賞口や、装飾部品を取付けるための幾つかの取付孔や、その他の孔等が多数の孔が設けられており、これらの孔をあける孔あけ加工には一般に直立ボール盤や、あるいは多軸ボール盤が用いられている。
【０００４】
【発明が解決しようとする課題】
しかしながら、このような従来の直立ボール盤や、特に、多軸ボール盤においては、機械自体が大きく複雑になり、孔あけ加工時に相当な騒音が発生し、必然的に加工時間が長くなり、かつ木屑が周囲に散乱して汚し、機械の保守、管理等のメンテナンスが厄介であるという問題点が見られる。
従って、本発明の目的は、このような従来における問題を解決するために、構成が簡略化され、機械のメンテナンスが容易かつ良好にでき、木屑の集塵性および排出性に優れて、周囲を汚して環境を損ねることも無く、同時に多数の孔あけ加工が可能で、騒音の問題も無い等の、優れた遊技盤の孔あけ加工装置を提供することにある。
【０００５】
また、本発明における孔あけ加工とは、単なる円形の孔の加工だけではなく、任意な形状の孔や開口等のルータ加工をも含むものであることが理解されるべきである。
【０００６】
【課題を解決するための手段】
上述した目的を達成するために、本発明の遊技盤の孔あけ加工装置は、垂直なスライドガイドに沿って上下動可能なスライダと、該スライダ上に設置された複数個のヘッドと、該ヘッドに回転可能に支持されて被加工物を孔あけ加工するカッターを有するスピンドルと、前記スライダの下部で前記スピンドルを覆うように設けられ、前記カッターが通過可能な孔を備え、前記被加工物の孔あけ加工時に前記被加工物を固定し、発生する木屑を集塵する上部集塵ケースと、被加工物を加工位置に搬送して固持するコンベヤ機構と、加工時に被加工物を該コンベヤ機構と一緒に支持すると共に孔あけ加工によって生じた木屑を集める集塵ケース兼加工ステージと、該集塵ケース兼加工ステージおよび前記上部集塵ケースに接続された集塵ダクトとを有することを特徴とする。
【０００７】
また、本発明の遊技盤の孔あけ加工装置は、前記コンベヤ機構が、前記集塵ケース兼加工ステージの両側に設けられ、シリンダによって上下動されることを特徴とする。
【０００８】
さらに、本発明の遊技盤の孔あけ加工装置は、前記集塵ケース兼加工ステージが、加工時の被加工物を上部部分にて支持して加工位置に固持すると共に、加工時に生じた木屑を集塵して集塵ダクトを介して排出することを特徴とする。
【０００９】
さらにまた、本発明の遊技盤の孔あけ加工装置は、前記カッターがドリルであることを特徴とする。
【００１０】
本発明の遊技盤の孔あけ加工装置は、前記カッターがルータビットであることを特徴とする。
【００１１】
また、本発明の遊技盤の孔あけ加工装置は、被加工物を垂直状態で搬送して支持するコンベヤ機構と、コンベヤ機構の左右に垂直状態に配置されて間に被加工物を挟持する一対の支持フレームと、支持フレームの上に設置されて孔あけ加工をするカッターを支持する回転可能なスピンドルを有する複数個のヘッドと、支持フレームに接続されて孔あけ加工によって生じた木屑を集塵する集塵ダクトとを有することを特徴とする。
【００１２】
さらに、本発明の遊技盤の孔あけ加工装置は、前記支持フレームが中空構造をなし、被加工物に当接する側のカッターのための孔が設けられており、加工時に木屑を集塵するようになっていることを特徴とする。
【００１３】
さらにまた、本発明の遊技盤の孔あけ加工装置は、前記コンベヤ機構が、一対のプーリに掛けられた無端状のベルトを有し、被加工物を加工位置にて保持することを特徴とする。
【００１４】
本発明の遊技盤の孔あけ加工装置は、前記カッターがドリルであることを特徴とする。
【００１５】
また、本発明の遊技盤の孔あけ加工装置は、前記カッターがルータビットであることを特徴とする。
【００１６】
本発明のその他の目的や特徴および利点は、添付図面に示される本発明の実施例に就いての以下の詳細な説明から明らかである。
【００１７】
【発明の実施の形態】
（実施例１)
図１は、本発明が適用されるパチンコ遊技機の遊技盤における孔あけ加工装置の一例を示す正面図で、図２はその側面図である。
【００１８】
図示されるように、本発明の遊技盤の孔あけ加工装置１は、固定設置されたベース部２と、このベース部２から一体的にほぼ垂直に直立したフレーム部３と、フレーム部３上を一対の垂直なスライドガイド５に沿って上下方向に垂直に移動可能な水平のスライダ４と、この水平なスライダ４上に設置された複数個のヘッド６と、ヘッド６に高速回転可能に支持されて被加工物の合板１０を孔あけ加工するカッターとしてのドリルまたはルータビットを有するスピンドル７と、加工すべき合板１０を搬送するコンベヤ機構８と、加工の際に合板１０を支持すると共に孔あけ加工によって生じた木屑や粉塵を集める集塵ケース兼加工ステージ９と、集塵ケース兼加工ステージ９に接続された集塵ダクト１１と、コンベヤ機構８を上下動するためのシリンダ１２と、スライダ４の下部に設けられた上部集塵ケース１７とから概略構成されている。また、加工すべき合板１０は、適宜な搬入側コンベヤ（図示しない）によって加工位置のコンベヤ機構８の上に搬入されると共に、加工された合板１０が搬出側コンベヤ（図示しない）によってコンベヤ機構８から搬出されるものである。
【００１９】
コンベヤ機構８は、図２に示されるように、集塵ケース兼加工ステージ９の両側に夫々設けられており、これら両側のコンベヤ機構８によって加工されるべき合板１０を加工位置に搬送し、加工された合板１０を加工位置から搬出するように配置されている。さらに、集塵ケース兼加工ステージ９は、中空構造に形成されており、上部に、ベークライト等で作られた定盤１８が設けられていて、ヘッド６のスピンドル７に取付けられたドリルやルータビットが、合板１０の加工時に通過することができるように略ドリル径に対応する大きさの孔１９が、この定盤１８に形成されており、さらに、定盤１８をベークライト等にすることによって加工時のドリルやルータビットの消耗を防ぐことができるようになっている。このような定盤１８が設けられた集塵ケース兼加工ステージ９は、加工時の合板１０を、集塵ケース兼加工ステージ９の上部の定盤１８上に支持して、適宜な固定手段によって合板１０を加工位置に固持すると共に、加工時に生じた木屑を良好に受けて集塵し、集塵ダクト１１を通って搬送して外部に排出するようになっており、定盤１８によってバリの発生を抑えると共に、集塵効率を向上し、さらに、加工時に防音箱として作用して騒音を低減する働きをなすものである。加工に際しては、スライダ４が降下して来て、コンベヤ機構８上に固持された合板１０を、ヘッド６のスピンドル７に装着されたドリルやルータビットによって孔あけ加工したり、任意の形状の開口をあけるように加工するようになっている。
【００２０】
コンベヤ機構８は、無端状のベルト１３を一対のプーリ１４に掛けて成り、細長いリンク部材１５の両端にプーリ１４が回転可能に支持されている。このようなベルト１３が掛けられたプーリ１４を支持するリンク部材１５は、両端に設けられた流体または空圧用のシリンダ１２によって上下動できるように構成されている。圧力流体または圧縮空気を用いるシリンダ１２は、シリンダ１２の作動ロッド端に取付けられたアーム部材１６を介してリンク部材１５の端部に連結されている。従って、シリンダ１２の作動によってアーム部材１６を介してリンク部材１５の両端部が上下動され、搬入側のコンベヤによって搬入される合板１０をコンベヤ機構８によって受け、加工位置に合板１０を搬送する。
【００２１】
また、スライダ４の下部に設けられた中空構造の上部集塵ケース１７は、集塵ケース兼加工ステージ９と同様に木屑や切粉を集塵して外部に排出するための、さらに別の集塵ダクト１１が接続されている。この上部集塵ケース１７の下面には、ヘッド６のスピンドル７に取付けられたドリルやルータビットが合板１０の孔あけ加工時に通過することができるための孔が設けられており、合板１０の加工時に発生する木屑や切粉等を上部集塵ケース１７内に吸収して集塵ダクト１１を介して外部に排出できるように構成されている。
【００２２】
また、図示の実施例１においては、テーブル形の水平なスライダ４上に２個宛てずつのヘッド６が設けられているが、鎖線で示されるように４個宛てずつのヘッド６を設けても良く、さらに、それ以上の個数のヘッド６を、必要に応じて設けることも出来る。さらにまた、ヘッド６は、モータまたは変速機構付モータを有しており、スピンドル７を高速回転して所要の孔あけ加工を行うことができるものである。
【００２３】
このように構成された本発明の孔あけ加工装置１において、加工すべき合板１０は、搬入側のコンベヤ（図示しない）によって加工位置のコンベヤ機構８へと搬入され、この加工位置にて集塵ケース兼加工ステージ９の上面に、集塵ケース兼加工ステージ９の上部部分によって支持されるように設置され、かつ複数個のヘッド６を支持するスライダ４がスライドガイド５に沿って降下して上部集塵ケース１７を介してスライダ４によって合板１０が固持され、ヘッド６のスピンドル７の先端の高速回転するカッターとしてのドリルまたはルータビットによって孔あけ加工されて、合板１０に所定の孔あけ加工が行われる。
【００２４】
さらに、孔あけ加工によって生じた木屑や粉塵は、集塵ケース兼加工ステージ９内にて捕集されて集塵ダクト１１によって搬送されて排出されると同時に、上部集塵ケース１７においても同様に、合板１０の上面側に発生する木屑や切粉等の粉塵は、合板１０の上面に当接する上部集塵ケース１７内に吸収されて捕集され、上部集塵ケース１７に接続された別の集塵ダクト１１によって外部に排出される。また、この場合の集塵ケース兼加工ステージ９と上部集塵ケース１７は、カッターとしてのドリルやルータビットによる孔あけ加工時に防音箱として作用して騒音を大いに減少することができ、多数個の孔を同時に加工することができるものであり、木屑や粉塵によって周囲を汚すことが無く、環境の上からも好ましいものである。
【００２５】
（実施例２）
図３は、本発明の孔あけ加工装置の実施例２を示すもので、図示の孔あけ加工装置は縦形で、垂直な状態に直立した被加工物である合板に孔あけ加工を行うことができるものである。
【００２６】
図示されるように、孔あけ加工装置２０は、被加工物の合板３０を垂直に直立した状態で搬送して支持するコンベヤ機構２１と、コンベヤ機構２１の左右に垂直状態に配置されて間に合板３０を挟持することができ、かつ中空構造に形成されているほぼ四角形または矩形の偏平な一対の支持フレーム２２と、支持フレーム２２上に設置されて合板３０に孔あけ加工をするドリル２５を支持する回転可能なスピンドル２４を有する複数個のヘッド２３と、支持フレーム２２に接続されて孔あけ加工によって生じた木屑を集塵する集塵ダクト２６とから概略構成されている。
【００２７】
本発明のこのような孔あけ加工装置２０において、支持フレーム２２は、中空構造をなしており、合板３０に当接する側に、ドリルやルータビットが通過できる孔が設けられていてスピンドル２４やドリル２５の邪魔にならないように形成されており、孔あけ加工時の木屑を支持フレーム２２の内部の空所部分に集塵して外部に漏れ出ることのないように構成されている。さらに、これら支持フレーム２２は、コンベヤ機構２１によって合板３０を搬送する際には、合板３０との間に幾分かの隙間を置いて合板３０が支持フレーム２２、２２の間を楽に通過でき、孔あけ加工時には、両側から支持フレーム２２の開口部が合板３０に当接されて、支持フレーム２２、２２によって合板３０が挟持されてしっかりと固定されるようになっている。
【００２８】
また、コンベヤ機構２１は、一対のプーリ２８に掛けられた無端状のベルト２７を有しており、搬入された合板３０を加工位置にて保持することができる。
【００２９】
このように構成された本発明の孔あけ加工装置３０において、加工すべき合板３０は、搬入側のコンベヤ（図示しない）によって加工位置のコンベヤ機構２１へと搬入され、この加工位置にて集塵ケースを兼ねる支持フレーム２２によって合板３０を左右両側から挟持して合板３０を固定し、複数個のヘッド２３を支持する支持フレーム２２に設置されたスピンドル２４の先端の高速回転するカッターとしてのドリル２５によって左右両側から、あるいは必要に応じていずれか一方の側から孔あけ加工を行うことによって、合板３０に所定の孔あけ加工が行われる。孔あけ加工によって生じた木屑や粉塵は集塵ケースを兼ねる支持フレーム２２内にて捕集されて集塵ダクト２６によって搬送されて排出される。
【００３０】
さらにまた、この場合の集塵ケースを兼ねる支持フレーム２２は、ドリル２５による孔あけ加工時に防音箱として作用して騒音を大いに減少することができ、かつ合板３０をしっかりと固定して保持することが出来るし、被加工物としての合板３０をドリル２５によって両側から同時に多数の孔あけ加工をすることができるので、加工時間が短縮され、木屑や粉塵が外部に漏出することが無いので、周囲を汚すことが無く、環境の上からも好ましいものである。さらに、コンベヤ機構２１や支持フレーム２２、ヘッド２３やスピンドル２４およびドリル２５等のメンテナンスも簡単、かつ良好に出来る。また、使用されるカッターは、ドリル２５に限られるものではなく、ルータビットを用いて任意な形状の開口を形成することができるものである。
【００３１】
【発明の効果】
以上説明したように、本発明によれば、請求項１記載の遊技盤の孔あけ加工装置は、垂直なスライドガイドに沿って上下動可能なスライダと、該スライダ上に設置された複数個のヘッドと、該ヘッドに回転可能に支持されて被加工物を孔あけ加工するカッターを有するスピンドルと、被加工物を加工位置に搬送して固持するコンベヤ機構と、加工時に被加工物を該コンベヤ機構と一緒に支持すると共に孔あけ加工によって生じた木屑や粉塵を集める集塵ケース兼加工ステージと、該集塵ケース兼加工ステージに接続された集塵ダクトとを有するので、孔あけ加工時の騒音を低減して防音効果を向上でき、孔あけ加工が容易で、加工時間を短縮することができ、木屑によって周囲を汚すことが無く、環境上も好ましく、さらに、各部分のメンテナンスも簡単に良好に行うことができる。
【００３２】
本発明の請求項２記載の遊技盤の孔あけ加工装置は、前記コンベヤ機構が、前記集塵ケース兼加工ステージの両側に設けられ、シリンダによって上下動されるので、コンベヤ機構を所定の加工位置に位置させるように良好に操作し、かつ調整して配置することができる。
【００３３】
本発明の請求項３記載の遊技盤の孔あけ加工装置は、前記集塵ケース兼加工ステージが、加工時の被加工物を上部部分にて支持して加工位置に固持すると共に、加工時に生じた木屑を受けて集塵して集塵ダクトを介して排出するので、被加工物を所定位置に保持でき、木屑を良好に集めて排出することができる。
【００３４】
本発明の請求項４記載の遊技盤の孔あけ加工装置は、前記カッターがドリルであるので、良好に多数の孔を同時にあけることができる。
【００３５】
本発明の請求項５記載の遊技盤の孔あけ加工装置は、前記カッターがルータビットであるので、任意の形状の開口を多数個、同時に良好に加工することができる。
【００３６】
本発明の請求項６記載の遊技盤の孔あけ加工装置は、被加工物を垂直状態で搬送して支持するコンベヤ機構と、コンベヤ機構の左右に垂直状態に配置されて間に被加工物を挟持する一対の支持フレームと、支持フレームの上に設置されて孔あけ加工をするドリルを支持する回転可能なスピンドルを有する複数個のヘッドと、支持フレームに接続されて孔あけ加工によって生じた木屑を集塵する集塵ダクトとを有するので、騒音を低減して防音効果を向上できると共に、孔あけ加工が容易で、かつ被加工物を両側から孔あけ加工でき、加工時間を短縮することができるし、木屑によって周囲を汚すことが無く、環境上も好ましく、各部分のメンテナンスも簡単に良好に行うことができる。
【００３７】
本発明の請求項７記載の遊技盤の孔あけ加工装置は、前記支持フレームが中空構造をなし、被加工物に当接する側にカッターのための孔が設けられており、加工時に木屑を集塵するようになっているので、加工時の騒音を低減して防音効果を向上することができる。
【００３８】
本発明の請求項８記載の遊技盤の孔あけ加工装置は、前記コンベヤ機構が、一対のプーリに掛けられた無端状のベルトを有し、被加工物を加工位置にて保持するので、被加工物を所定位置に保持することができ、良好な孔あけ加工が得られる。
【００３９】
本発明の請求項９記載の遊技盤の孔あけ加工装置は、前記カッターがドリルであるので、良好に多数の孔を同時にあけることができる。
【００４０】
本発明の請求項１０記載の遊技盤の孔あけ加工装置は、前記カッターがルータビットであるので、任意の形状の開口を多数個、同時に加工することができる。
【図面の簡単な説明】
【図１】本発明の孔あけ加工装置の実施例１における正面図である。
【図２】図１の孔あけ加工装置の側面図である。
【図３】本発明の孔あけ加工装置の実施例２における正面概略断面図である。
【符号の説明】
１    孔あけ加工装置
２    ベース部
３    フレーム部
４    スライダ
５    スライドガイド
６    ヘッド
７    スピンドル
８    コンベヤ機構
９    集塵ケース兼加工ステージ
１０  合板（被加工物）
１１  集塵ダクト
１２  シリンダ
１３  ベルト
１４  プーリ
１５  リンク部材
１６  アーム部材
１７  上部集塵ケース
１８  定盤
１９  孔
２０  孔あけ加工装置
２１  コンベヤ機構
２２  支持フレーム
２３  ヘッド
２４  スピンドル
２５  ドリル
２６  集塵ダクト
２７  ベルト
２８  プーリ
３０  合板（被加工物）
【図１】
0004527270.tif 000002
【図２】
0004527270.tif 000003
【図３】
0004527270.tif 000004